(57)【要約】【課題】画像形成装置がその動作機構による動作のレベルを定めるために記憶している設定値について、特定の者に限定して書き換えを許可して画像形成装置の調整を可能としつつ、無権限者に設定値を書き換えられる事態を防止する。【課題を解決するための手段】コンピューター２は、画像形成装置３における各項目の設定値の書き換え指示を、当該書き換え指示に対応付けて予め定められたコマンド入力により受け付ける書換指示受付部２０１と、当該項目についての設定値を保有する設定値保有部２０２と、書換指示受付部２０１に上記コマンド入力により受け付けられた書き換え指示が示す項目についての設定値を設定値保有部２０２から取得して、当該設定値及び当該設定値が適用される項目を有してなる設定値書換情報を画像形成装置３に出力する書換情報出力部２０３とを備える。【選択図】図１
2014029652.tif 000002
【特許請求の範囲】
【請求項１】
電子機器において動作レベルの調整が可能とされる項目について、当該項目が示す動作の動作レベルを示す設定値の書き換え指示を、当該書き換え指示に対応付けて予め定められたコマンド入力により受け付ける書換指示受付部と、
前記項目についての設定値を保有する設定値保有部と、
前記書換指示受付部に前記コマンド入力により受け付けられた書き換え指示が示す項目についての設定値を前記設定値保有部から取得して、当該設定値及び当該設定値が適用される項目を有してなる設定値書換情報を作成して前記電子機器に出力する書換情報出力部と
して情報処理装置を機能させる設定値書換プログラム。
【請求項２】
前記設定値保有部は、前記各項目についての設定値を操作者から取得し、当該取得した設定値を、当該設定値が適用される項目に対応付けて保有するように、情報処理装置を更に機能させる請求項１に記載の設定値書換プログラム。
【請求項３】
電子機器において動作レベルの調整が可能とされる項目について、当該項目が示す動作の動作レベルを示す設定値の書き換え指示を、当該書き換え指示に対応付けて予め定められたコマンド入力により受け付ける書換指示受付部と、
前記項目についての設定値を保有する設定値保有部と、
前記書換指示受付部に前記コマンド入力により受け付けられた書き換え指示が示す項目についての設定値を前記設定値保有部から取得して、当該設定値及び当該設定値が適用される項目を有してなる設定値書換情報を作成して前記電子機器に出力する書換情報出力部と
を備える情報処理装置。
【発明の詳細な説明】
【技術分野】
【０００１】
本発明は、設定値書換プログラム、及び情報処理装置に関し、特に、電子機器がその動作機構による動作のレベルを定めるために記憶している設定値を書き換える技術に関する。
【背景技術】
【０００２】
従来、画像形成装置等の電子機器には、当該画像形成装置の動作を制御するためのプログラムであるファームウェアが記憶されている（下記特許文献１参照）。ファームウェアには、画像形成装置が備える動作機構による動作レベルの範囲を示す動作範囲が記憶されている。このファームウェアは、操作者により当該動作範囲内で設定された設定値に従って動作機構の動作レベルを定め、当該動作機構の動作を制御する。なお、当該設定値は、画像形成装置において調整が可能とされている複数の項目のそれぞれについて設定可能とされており、設定された設定値は、画像形成装置が備えるメモリー等の記憶領域に保存される。
【先行技術文献】
【特許文献】
【０００３】
【特許文献１】特開２０１１−１４５９４７号公報
【発明の概要】
【発明が解決しようとする課題】
【０００４】
ここで、画像形成装置の動作機構の動作レベルを調整したい場合、例えば、記録紙に対する画像形成領域の基準位置、スキャン動作時における原稿読取の基準領域、印刷基準濃度等を調整したい場合は、これら各項目についての設定値を新たな設定値に設定し直す必要が生じる。しかし、動作機構の適切な動作レベルは、関連する他の動作機構との連携等により定まるものであるため、適切な動作が確保される数値に変更するためには、専門的な技術知識が求められる。何人にも自由に当該設定値の書換を認めると、操作者の技術知識の如何によっては、画像形成装置が正常に動作しない事態が生じるおそれがあり、また、画像形成装置の管理に支障を生じ得る。
【０００５】
本発明は、上記の問題を解決するためになされたもので、電子機器がその動作機構による動作のレベルを定めるために記憶している設定値について、特定の者に限定して書き換えを許可して電子機器の調整を可能としつつ、無権限者に設定値を書き換えられる事態を防止することを目的とする。
【課題を解決するための手段】
【０００６】
本発明の請求項１に記載の発明は、電子機器において動作レベルの調整が可能とされる項目について、当該項目が示す動作の動作レベルを示す設定値の書き換え指示を、当該書き換え指示に対応付けて予め定められたコマンド入力により受け付ける書換指示受付部と、
前記項目についての設定値を保有する設定値保有部と、
前記書換指示受付部に前記コマンド入力により受け付けられた書き換え指示が示す項目についての設定値を前記設定値保有部から取得して、当該設定値及び当該設定値が適用される項目を有してなる設定値書換情報を作成して前記電子機器に出力する書換情報出力部と
して情報処理装置を機能させる設定値書換プログラムである。
【０００７】
また、請求項３に記載の発明は、電子機器において動作レベルの調整が可能とされる項目について、当該項目が示す動作の動作レベルを示す設定値の書き換え指示を、当該書き換え指示に対応付けて予め定められたコマンド入力により受け付ける書換指示受付部と、
前記項目についての設定値を保有する設定値保有部と、
前記書換指示受付部に前記コマンド入力により受け付けられた書き換え指示が示す項目についての設定値を前記設定値保有部から取得して、当該設定値及び当該設定値が適用される項目を有してなる設定値書換情報を作成して前記電子機器に出力する書換情報出力部と
を備える情報処理装置である。
【０００８】
これらの発明では、書換情報出力部が、書換指示受付部に上記コマンドの入力により受け付けられた書き換え指示が示す項目についての設定値を設定値保有部から取得して、当該設定値及びこの数値が適用される項目を有してなる設定値書換情報を作成して電子機器に出力するので、電子機器に記憶されている上記項目の設定値を書き換えるためには、上記コマンドの知得と、当該コマンドを書換指示受付部に入力する操作とが必要になる。このため、当該コマンドの内容を秘密保持すること、及び、請求項１に記載の設定値書換プログラムがインストールされた情報処理装置、又は請求項３に記載の情報処理装置の操作及び使用を限定する等の管理により、電子機器に記憶されている各項目の設定値書換について強固なセキュリティーを確保して、無権限者に設定値を書き換えられる事態を防止すると共に、上記コマンドの内容を知得させた特定の者には設定値の書換を許可して電子機器の調整を可能にすることができる。
【０００９】
また、請求項２に記載の発明は、請求項１に記載の設定値書換プログラムであって、前記設定値保有部は、前記各項目についての設定値を操作者から取得し、当該取得した設定値を、当該設定値が適用される項目に対応付けて保有するように、情報処理装置を更に機能させるものである。
【００１０】
この発明によれば、例えば、設定値保有部が、操作者から、電子機器に記憶されている項目の設定値が過去に書き換えられたときの当該書き換えられた設定値を取得して、書換指示受付部への上記コマンド入力に従って、当該書き換えられた設定値を含む設定値書換情報を作成して、書換情報出力部が電子機器に出力すること等が可能になる。このため、電子機器を適正に調整できる蓋然性の高い設定値を電子機器に出力して、電子機器に記憶されている従前の設定値を、当該有効な設定値に書き換えることが可能になる。
【発明の効果】
【００１１】
本発明によれば、電子機器がその動作機構による動作のレベルを定めるために記憶している設定値について、特定の者に限定して書き換えを許可して電子機器の調整を可能としつつ、無権限者に設定値を書き換えられる事態を防止することが可能になる。
【図面の簡単な説明】
【００１２】
【図１】設定値書換システムをなすコンピューター及び画像形成装置の概略構成を示す図である。
【図２】画像形成装置の各機能についての設定値を、コンピューターから書き換える処理を示すシーケンス図である。
【発明を実施するための形態】
【００１３】
以下、本発明の一実施形態に係る設定値書換プログラム、及び情報処理装置について図面を参照して説明する。図１は、設定値書換システムをなすコンピューター及び画像形成装置の概略構成を示す図である。
【００１４】
設定値書換システム１は、コンピューター２と、画像形成装置３とを有する。
【００１５】
本発明に係る情報処理装置の一例としてのコンピューター２は、画像形成装置３との間でデータ通信を行う。コンピューター２には、本発明の一実施形態に係る設定値書換プログラム６がインストールされる。設定値書換プログラム６のインストールは、ＣＤ−ＲＯＭ、ＤＶＤ−ＲＯＭ、ＵＳＢメモリー等の記録媒体を介して、又はインターネット又はＬＡＮ（local area network）等のネットワークを通じたダウンロード等により行われる。
【００１６】
画像形成装置（電子機器の一例）３は、本実施形態では、コピー、プリンター、ファクス、スキャナー等の動作機構を備えた複合機である。画像形成装置３は、コンピューター２との間でデータ通信が可能とされている。画像形成装置３には、その制御基板上のマスクＲＯＭ、又は画像形成装置３にインターフェイス接続されたフラッシュメモリ等に、当該画像形成装置３の各動作機構を制御するプログラムであるファームウェアがインストールされている。画像形成装置３の制御部は、当該ファームウェアに従って動作することで、各動作機構の動作を制御する。
【００１７】
上記の設定値書換プログラム５は、画像形成装置３の動作機構による動作で実現される各項目について、その設定値を書き換えるために、書換候補とする設定値を、コンピューター２から画像形成装置３に出力させるものである。
【００１８】
この項目とは、画像形成装置３の動作機構による動作で実現される項目であり、例えば、画像形成装置の仕向地設定、トナーエリアコード、高地モード設定、ドラムリフレッシュ設定、画像形成部による記録紙に対する印刷領域の基準位置、画像読取部によるスキャン動作における原稿読取の基準領域、又は画像形成部の印刷基準濃度等である。設定値とは、当該項目が示す内容を実現するために動作する上記動作機構の動作レベルを定めるために用いられる値である。
【００１９】
次に、コンピューター２及び画像形成装置３の構成の概略を説明する。なお、本発明に関係する構成を中心に図示及び説明を行う。
【００２０】
最初に、コンピューター２の構成を説明する。コンピューター２は、コンピューター２の全体的な動作制御を司る制御ユニット２０と、ＲＯＭ２１と、ＲＡＭ２２と、ＨＤＤ（Hard disk drive）２３と、表示部２４と、通信インターフェイス２５と、入力部２６とを備える。これら各部は、互いにＣＰＵバスによりデータ又は信号の送受信が可能とされている。
【００２１】
ＲＯＭ２１は、コンピューター２の基本動作についての動作プログラムを記憶する。ＲＡＭ２２は、制御ユニット２０の動作領域等として用いられる。
【００２２】
ＨＤＤ２３は、その記憶領域に、当該コンピューター２で動作させる各種のプログラムや、保存対象とされる各種データ等を記憶する。また、ＨＤＤ２３には、本発明の一実施形態に係る上記設定値書換プログラム５がインストール（記憶）される。
【００２３】
表示部２４は、ＬＣＤ（Liquid Crystal Display）等からなり、当該コンピューター２を操作する操作者に対する操作案内等が表示される。
【００２４】
通信インターフェイス２５は、画像形成装置３との間でデータ通信を行うためのインターフェイスである。本実施形態では、通信インターフェイス２５及び画像形成装置３間の通信方式は、ＵＳＢケーブルの接続によるものとして説明する。但し、通信インターフェイス２５及び画像形成装置３間の通信方式はこれに限定されない。
【００２５】
入力部２６は、キーボードやマウスポインター等から構成され、画像形成装置３において動作機構による動作が可能な上記各項目について、その設定値の入力等を、操作者から受け付ける。
【００２６】
制御ユニット２０は、ＣＰＵ等からなり、制御部２００、書換指示受付部２０１、設定値保有部２０２、及び書換情報出力部２０３を備えている。なお、制御ユニット２０は、上記の設定値書換プログラム５に従って動作することで、書換指示受付部２０１、設定値保有部２０２、及び書換情報出力部２０３として機能する。これら書換指示受付部２０１、設定値保有部２０２、及び書換情報出力部２０３は、設定値書換プログラム５に基づく動作によらず、それぞれハード回路により構成することも可能である。本実施形態では、書換指示受付部２０１、設定値保有部２０２、及び書換情報出力部２０３は、設定値書換プログラム５に基づく制御ユニット２０の動作により実現されるものとして説明する。
【００２７】
制御部２００は、コンピューター２全体の動作制御を司る。
【００２８】
書換指示受付部２０１は、画像形成装置３における上記各項目についての設定値を書き換える書き換え指示を、当該書き換え指示に対応させて予め定められているコマンド入力により受け付ける。
【００２９】
当該コマンドは、上記項目毎に異ならせて定められた文字列等である。当該コマンドは、コンピューター２又は画像形成装置３の管理者によって、その秘密性が保たれる。管理者は、必要に応じて、画像形成装置３の製造者又は作業者等に、管理下にある当該コマンドを知得させる。
【００３０】
設定値保有部２０２は、上記各項目についての設定値を保有する。当該設定値は、１つ又は複数の動作機構の動作についての制御値からなる。例えば、上記項目が印刷基準濃度である場合、設定値は、当該印刷濃度変更のために動作が必要となる動作機構について、例えば、感光体ドラムの表面電位(帯電装置による帯電電位)、現像装置の現像バイアス、転写装置の転写バイアス、露光装置の露光量等の動作レベルを示す各制御値からなる。すなわち、この例で言えば、制御値は、帯電装置による帯電電圧値、現像装置の現像バイアス値、転写装置の転写バイアス値、露光装置の露光量の値等であり、設定値は当該各制御値の集合である。また、上記項目が、印刷枚数のカウントである場合には、設定値は、当該カウントを行うカウンターの値である。この場合、設定値が例えば‘0’であると、当該カウンターをリセットさせることになる。設定値保有部２０２は、画像形成装置３における各項目に対応する動作に応じて、画像形成装置３の製造者等が実験等に基づいて定めた値を保有している。
【００３１】
なお、設定値保有部２０２は、画像形成装置３の製造者、ライン作業者等が過去に画像形成装置３における項目の設定値を書き換えたときの書き換え後の設定値等、上記製造者及びライン作業者等が入力部２６を操作して入力した設定値を保有することが可能である。これにより、書換指示受付部２０１に操作者からの上記コマンド入力が受け付けられると、画像形成装置３を適正に調整できる蓋然性の高い設定値を含む設定値書換情報(後述)を、書換情報出力部２０３から画像形成装置３に出力して、画像形成装置３に記憶されている従前の設定値を、当該有効な設定値に書き換えることが可能とされている。
【００３２】
書換情報出力部２０３は、上記コマンド入力により書換指示受付部２０１に受け付けられた書き換え指示が示す項目についての設定値を、設定値保有部２０２から取得して、当該設定値及び当該設定値が適用される項目とを有してなる設定値書換情報を作成して、当該作成した設定値書換情報を画像形成装置３に出力する。書換情報出力部２０３は、通信インターフェイス２５を介して画像形成装置３との当該通信を行う。例えば、書換情報出力部２０３は、当該画像形成装置３への設定値書換情報の出力時には、ＸＭＬ形式のデータとした設定値書換情報を、ＳＳＬ形式等により暗号化した上で出力することが好ましい。本実施形態では、書換情報出力部２０３は設定値書換情報を暗号化した上で画像形成装置３に出力する場合を例にして説明する。なお、書換情報出力部２０３による設定値書換情報のデータ形式を、ＸＭＬ形式に限定する趣旨ではない。
【００３３】
例えば、設定値書換プログラム５は、上記予め定められたコマンドの入力に基づいて、コンピューター２が、画像形成装置３に設定値書換情報を出力する動作を行う際のDLL(Dynamic Link Library)として用いられる。
【００３４】
続いて、画像形成装置３の構成を説明する。
【００３５】
画像形成装置３は、制御ユニット３０と、表示部３５と、画像形成部３６と、画像読取部３７と、通信インターフェイス３８と、操作部４７とを備える。
【００３６】
通信インターフェイス３８は、コンピューター２との間でデータ通信を行うためのインターフェイスである。
【００３７】
制御ユニット３０は、ＣＰＵ、ＲＯＭ、及びＲＡＭ等からなり、画像形成装置３の動作制御を司る。制御ユニット３０は、マスクＲＯＭ（又はフラッシュメモリー）を備える。当該マスクＲＯＭに、画像形成装置３を動作制御するプログラムであるファームウェアがインストールされている。制御ユニット３０は、当該フェームウェアに従って動作することにより、設定値情報取得部３１及び制御部３２として機能する。
【００３８】
設定値情報取得部３１は、通信インターフェイス３８を介して、コンピューター２から出力されてくる上述した設定値書換情報を取得する。
【００３９】
設定値情報取得部３１は、セキュリティー部３１１と、ＸＭＬパーサー部３１２とを備える。上記マスクＲＯＭには、これら各部として制御ユニット３０を動作させるプログラムが記憶されており、制御ユニット３０は、当該プログラムに従って動作することにより、これらセキュリティー部３１１と、ＸＭＬパーサー部３１２として機能する。
【００４０】
セキュリティー部３１１は、上記コンピューター２とのデータ通信に用いられるＳＳＬ形式等の暗号化処理及び解読処理を行う。セキュリティー部３１１は、コンピューター２から取得されたＳＳＬ形式等の暗号化されたデータを解読し、また、コンピューター２への出力対象とするデータについては、当該ＳＳＬ等による暗号化処理を行う。
【００４１】
ＸＭＬパーサー部３１２は、上記セキュリティー部３１１で解読されたＸＭＬ形式のデータを解釈し、制御部３２での取り扱いが可能なデータ形式に変換する。
【００４２】
制御部３２は、画像形成装置３の各動作機構の制御を担当する。制御部３２は、例えばＯＳ及びＥｎｔｉｔｙを備え、ＸＭＬパーサー部３１２による解釈後のデータが示す内容に従ったプロセス入出力の管理等を行う。制御部３２は、設定値記憶部３２１と、動作制御部３２２と、設定値変更部３２３として機能する。
【００４３】
設定値記憶部３２１は、画像形成装置３の各動作機構の動作レベルを示す設定値を記憶している。設定値記憶部３２１は、例えば、動作機構が画像形成部３６である場合、画像形成部３６をなす帯電装置、露光装置、現像装置、転写装置、定着装置、及び用紙搬送機構等の各動作機構について、動作に必要な、帯電電圧値、露光光量、現像バイアス、転写バイアス、定着温度、及び用紙搬送ローラー回転速度等の各制御値を設定値として記憶している。
【００４４】
動作制御部３２２は、画像形成装置３に備えられる各動作機構、例えば、画像形成部３６、画像読取部３７等を動作制御する。動作制御部３２２は、設定値記憶部３２１に記憶されている各設定値を用いて、画像形成装置３の各動作機構を動作制御する。なお、動作制御部３２２により動作制御される画像形成装置３の機構は、画像形成部３６及び画像読取部３７には限定されない。
【００４５】
設定値変更部３２３は、設定値情報取得部３１によって画像形成装置３から取得された設定値書換情報を受け取り、設定値記憶部３２１に記憶されている各動作機構についての設定値のうち、当該取得した設定値書換情報が示す項目に対応する設定値を、当該設定値書換情報が示す設定値に変更する。
【００４６】
例えば、設定値変更部３２３は、設定値書換情報が示す項目が印刷基準位置である場合、印刷基準位置を定める動作を行う画像形成部３６をなす帯電装置、露光装置、現像装置、転写装置、定着装置、及び用紙搬送機構等の動作に必要な、帯電電圧値、露光光量、現像バイアス、転写バイアス、定着温度、及び用紙搬送ローラー回転速度等の設定値記憶部３２１に記憶されている各制御値を、設定値書換情報が示す設定値をなす各制御値に書き換える。
【００４７】
また、例えば、設定値変更部３２３は、上記設定値情報の示す項目が、印刷枚数のカウントである場合には、当該カウントを行うカウンターの値(設定値記憶部３２１に記憶されている)を、当該設定値情報が示す設定値に書き換える。当該設定値情報が示す設定値が例えば‘0’であるときは、設定値変更部３２３は、設定値記憶部３２１に記憶されている各機能についての設定値のうち、印刷枚数カウント用のカウンターのカウント値を’0’に変更して、カウント値をリセットさせる。
【００４８】
画像形成部３６は、記録媒体に対する画像形成を行う機構である。画像形成部３６は、上述したように、例えば、帯電装置、露光装置、現像装置、転写装置、定着装置、及び用紙搬送機構等により構成される。
【００４９】
画像読取部３７は、原稿画像を読み取るスキャナー等からなる。
【００５０】
操作部４７は、テンキー、及び画像形成実行指示が入力されるスタートキー等を有し、操作者から画像形成装置３についての各種の操作指示を受け付ける。
【００５１】
次に、画像形成装置３の各機能についての設定値をコンピューター２から書き換える処理を説明する。図２は画像形成装置３の各機能についての設定値を、コンピューター２から書き換える処理を示すシーケンス図である。
【００５２】
前提として、コンピューター２には、設定値書換プログラム５がインストールされている。操作者は、ＵＳＢケーブルの一端部をコンピューター２の通信インターフェイス２５に接続すると共に(Ｓ１)、当該ＵＳＢケーブルの他端部を画像形成装置３の通信インターフェイス３８に接続する。
【００５３】
さらに、コンピューター２において、操作者が、入力部２６から設定値書換プログラム５の起動指示を入力すると(Ｓ２)、制御ユニット２０は、設定値書換プログラム５を起動させる(Ｓ３)。これにより、制御ユニット２０が、上記書換指示受付部２０１、設定値保有部２０２、及び書換情報出力部２０３として機能する。
【００５４】
この後、操作者が、入力部２６の操作により、画像形成装置３における上記各項目のうち、設定値を書き換えたい項目に対応するコマンドを入力すると(Ｓ４)、書換指示受付部２０１が当該コマンドを受け付ける（Ｓ４）。
【００５５】
続いて、書換情報出力部２０３は、上記コマンドに対応する項目の設定値を設定値保有部２０２から読み出して、当該読み出した設定値及び当該設定値が適用される項目を示す設定値書換情報を作成し、当該設定値書換情報を、通信インターフェイス２５を介して、暗号化したＸＭＬデータ形式で画像形成装置３に出力する(Ｓ５)。
【００５６】
画像形成装置３では、通信インターフェイス３８を介してセキュリティー部３１１が、当該暗号化された設定値書換情報を取得し、当該設定値書換情報を解読する。解読された設定値書換情報が示す項目及び当該項目についての設定値は、ＸＭＬパーサー部３１２により解釈される。
【００５７】
設定値変更部３２３は、上記設定値書換情報が示す項目及び当該項目についての設定値を用いて、設定値記憶部３２１に記憶されている各項目の設定値のうち、当該取得した設定値書換情報が示す項目の設定値を、当該設定値書換情報が示す設定値に書き換える（Ｓ６）。
【００５８】
なお、設定値書換プログラム５が、更に画像形成装置から上記設定値を取得する図略の設定値確認部としてコンピューター２を動作させる機能を有し、これに基づいて、コンピューター２の制御ユニット２０が、更に設定値確認部として動作するものとし、上記Ｓ６の後、操作者によるコンピューター２の入力部２６の操作により、画像形成装置３で書き換えられた上記項目の設定値の確認指示が入力されると（Ｓ７）、設定値確認部は、当該確認指示を受け付けて、画像形成装置３に対してＳ６で書き換えられた後の上記項目の設定値の送信を通信インターフェイス２５を介して要求し（Ｓ８）、画像形成装置３においては、例えば動作制御部３２２が設定値記憶部３２１から、この時点で記憶されている設定値であって、上記設定値送信要求が示す設定値を読み出して、当該読み出した設定値を、通信インターフェイス３８を介してコンピューター２に送信するものとしてもよい（Ｓ９）。この場合、コンピューター２では、設定値確認部が、画像形成装置３から送られてきた上記項目の設定値を表示部２４に表示させる（Ｓ１０）。この場合、コンピューター２においては、上記項目の設定値を画像形成装置３に対して出力するだけではなく、画像形成装置３において設定値の書換が予定通りに行われたことを、操作者が確認することができる。
【００５９】
なお、Ｓ７〜Ｓ１０の処理においても、コンピューター２及び画像形成装置３間におけるデータ通信時には、通信の対象とされる情報をＳＳＬ方式等により暗号化した上で送受信することが好ましい。
【００６０】
上述した設定値の書換処理によれば、操作者は、画像形成装置３に記憶されている上記項目の設定値を書き換える操作を行う際に、上記コマンドの知得と、当該コマンドを書換指示受付部２０１に入力する操作とが必要になる。
【００６１】
例えば、上記管理者は、上記コマンドを秘密に保ち、製造者やライン作業者等、画像形成装置３の製造又は調整作業に従事する特定者にのみ、当該コマンドを開示することで、設定値書き換えに対する第１のセキュリティーを確保することができる。
【００６２】
また、上記コマンドの内容が第三者に流出して、この第三者によりコンピューター２への当該コマンドの入力が可能になった場合であっても、上記設定値書換プログラム５、又はコンピューター２がない限り、上記の設定値書換情報が作成されない(すなわち、入力されたコマンドが有効に機能しない)ため、この第三者は画像形成装置３における項目の設定値を書き換えることができない。
【００６３】
これにより、コンピューター２又は画像形成装置３の管理者が、当該コマンドの内容を秘密保持する、又は、コンピューター２の操作及び使用を限定する等の管理を行うことにより、画像形成装置３における各項目の設定値を書き換えることについて強固なセキュリティーを確保でき、無権限者に設定値を無断で書き換えられる事態を防止できる。その一方、上記コマンドの内容を知得させた特定の者には、当該設定値の書換を許可して、画像形成装置３の調整を可能にすることができる。
【００６４】
なお、本発明は上記実施の形態の構成に限られず種々の変形が可能である。例えば、上記実施形態では、コンピューター２による設定値書換の対象とされる画像形成装置として、複合機を用いて説明しているが、これに限られず、プリンター、コピー機、ファクシミリ装置等の他の画像形成装置とすることも可能である。さらには、コンピューター２による設定値書換の対象とされる電子機器は、画像形成装置以外の携帯端末機器、医療機器、情報処理装置等であっても構わない。
【００６５】
図１及び図２を用いて上記各実施形態に示した構成及び処理は、本発明の一実施形態に過ぎず、本発明の構成及び処理はこれに限定されるものではない。
【符号の説明】
【００６６】
１          設定書換システム
２          コンピューター
２０        制御ユニット
２００      制御部
２０１      書換指示受付部
２０２      設定値保有部
２０３      書換情報出力部
３          画像形成装置
３１        設定値情報取得部
３２        制御部
５          設定値書換プログラム
【図１】
2014029652.tif 000003
【図２】
2014029652.tif 000004